(57)【要約】  【課題】  ユーザがリモコンを紛失したり、リモコンが故障したりした場合に、リモコンキーを本体キーで代用させる場合、本体キーの操作も簡単に行うことができ、しかも、コストアップせずに、リモコンの各機能を実現できる光ディスク装置を提供する。  【解決手段】  本体操作部のＰＬＡＹキーが押下し続けられ、この状態でＳＴＯＰキーを複数回押下して行くと、押下回数がカウントされる。ＰＬＡＹキーが放された時、カウント値が０のままであれば、ＰＬＡＹキーは本来の機能が確定されていることになるが、カウント値が０で無いとき、カウント値に対応するキーコードをテーブルより抽出して、該キーコードが示すリモコンキーの機能を本体操作部のＰＬＡＹキーに確定する。また、カウント値に対応するリモコンキーの名称をテーブルより抽出して表示手段に表示させる。【選択図】      図５
2006179097.tif 000002
【特許請求の範囲】
【請求項１】
複数のキーを有するリモコンにより操作が可能であると共に、前記リモコンのキーの個
数よりも少ない個数のキーを有する本体操作部を備え、光ディスクに対して情報の再生、
または記録／再生を行う光ディスク装置において、前記本体操作部の選択した２個の本体
キーのうちの一方の本体キーを押し続けた状態で、他方の本体キーを押下したときの押下
回数をカウントするカウンタと、前記押下回数のカウント値とリモコンキーのキーコード
とリモコンキーの名称との対応関係を示すテーブルと、前記一方の本体キーを放した時の
前記カウント値に対応したキーコードを前記テーブルより抽出して該キーコードが示すリ
モコンキーとして前記一方の本体キーの機能を確定するキー確定手段と、前記カウント値
に対応するリモコンキーの名称を前記テーブルより抽出して表示手段に表示させるキー名
称表示手段とを有するシステムコントローラを備えたことを特徴とする光ディスク装置。
【請求項２】
複数のキーを有するリモコンにより操作が可能であると共に、前記リモコンのキーの個
数よりも少ない個数のキーを有する本体操作部を備え、光ディスクに対して情報の再生、
または記録／再生を行う光ディスク装置において、前記本体操作部の選択した２個の本体
キーのうちの一方の本体キーを押し続けた状態で、他方の本体キーを押下したときの押下
回数に応じてリモコンキーを指定し、前記指定されたリモコンキーの機能を前記一方の本
体キーの機能として確定するシステムコントローラを備えたことを特徴とする光ディスク
装置。
【請求項３】
前記システムコントローラは、前記本体操作部の選択した２個の本体キーのうちの一方
の本体キーを押し続けた状態で、他方の本体キーを押下したときの押下回数をカウントす
るカウンタと、前記押下回数のカウント値に対応したキーコードが示すリモコンキーとし
て前記一方の本体キーの機能を確定するキー確定手段と、前記カウント値に対応するリモ
コンキーの名称を表示手段に表示させるキー名称表示手段とを有することを特徴とする請
求項２に記載の光ディスク装置。
【請求項４】
前記システムコントローラは、前記本体操作部の選択した２個の本体キーのうちの一方
の本体キーを押し続けた状態で、他方の本体キーを押下したときの押下回数をカウントす
るカウンタと、前記押下回数のカウント値とリモコンキーのキーコードとリモコンキーの
名称との対応関係を示すテーブルと、前記一方の本体キーを放した時の前記カウント値に
対応したキーコードを前記テーブルより抽出して該キーコードが示すリモコンキーとして
前記一方の本体キーの機能を確定するキー確定手段と、前記カウント値に対応するリモコ
ンキーの名称を前記テーブルより抽出して表示手段に表示させるキー名称表示手段とを有
するシステムコントローラを備えたことを特徴とする請求項２に記載の光ディスク装置。
【発明の詳細な説明】
【技術分野】
【０００１】
本発明は、複数のキーを有するリモコンにより操作が可能であると共に、前記リモコン
のキーの個数よりも少ない個数のキーを有する本体操作部を備え、光ディスクに対して情
報の再生、または記録／再生を行う光ディスク装置に関する。
【背景技術】
【０００２】
従来から、光ディスク装置では、複数のキーを有するリモコンにより操作が可能である
と共に、前記リモコンのキーの個数よりも少ない個数のキーを有する本体操作部を備え、
リモコンキーまたは本体キーを押下して、電源をオンしたりオフしたり、あるいは再生を
開始させたり、再生を停止させたり、その他各種の動作を行わせている。
【特許文献１】特開２０００−２６７７９２号公報
【特許文献２】特開平８−１７１７２号公報
【特許文献３】特開２００４−１４０８１１号公報
【発明の開示】
【発明が解決しようとする課題】
【０００３】
ところで、リモコンには、各種機能に応じた分の複数のキー、および数字入力のための
テンキーなどが設けられていることが多い。また、近年においては、装置本体の小型化の
要請から、装置の本体操作部では、本体操作部のスペースを小さくするため、できるだけ
キーの個数を少なくして、リモコン側にキーを集中させる傾向にある。しかしながら、ユ
ーザがリモコンを紛失したり、リモコンが故障したりした場合、リモコンでのみ操作可能
な機能については、本体操作部のキー操作では装置を動作させることができなくなり、ユ
ーザにとっては非常に困った問題が生じる。
【０００４】
そこで、特許文献１に記載のキー動作選択装置およびキー動作選択方法では、補助キー
を押し下げながら機能キーを所定回数押し下げ、その押下回数を押下カウンタに保持し、
回数に対応する機能を機能テーブルから読み出し、出力装置に、その機能について表示し
、ユーザが望む機能に到達したら補助キーを開放し、その時点で設定されている機能を機
能表示・制御部が実行するように構成している。しかしながら、このような構成の従来技
術は、補助キーを本体操作部に設けなければならないので、その分コストアップになると
いう課題が生じる。
【０００５】
また、特許文献２に記載の情報再生装置では、「＋」ボタンと「−」ボタンと「選択」
ボタンとの３つの本体キーにより、リモコンキーの機能を代用させるように構成されてい
るが、リモコンが紛失した場合や故障した場合に、リモコンキーの機能を本体キーで代用
させる場合「＋」ボタンと「−」ボタンと「選択」ボタンとの３つの本体キーを操作しな
ければならないので、ユーザにとっては、キー操作がやや面倒になるという課題が生じる
。
【０００６】
なお、特許文献３に記載のデジタル放送受信装置では、タッチパネルにリモコンの機能
を持たせることにより、リモコンの機能を代用させているが、新たにタッチパネルが必要
となり、これにより、コストアップになるという課題が生じる。
【０００７】
本発明は、上記のような課題を解決するためになされたもので、ユーザがリモコンを紛
失したり、リモコンが故障したりした場合に、リモコンキーの機能を本体キーで代用させ
る場合、本体キーの操作も簡単に行うことができ、しかも、コストアップせずに、リモコ
ンの各機能を実現できる光ディスク装置を提供することを目的とする。
【課題を解決するための手段】
【０００８】
上記目的を達成するために、請求項１の発明は、複数のキーを有するリモコンにより操
作が可能であると共に、前記リモコンのキーの個数よりも少ない個数のキーを有する本体
操作部を備え、光ディスクに対して情報の再生、または記録／再生を行う光ディスク装置
において、前記本体操作部の選択した２個の本体キーのうちの一方の本体キーを押し続け
た状態で、他方の本体キーを押下したときの押下回数をカウントするカウンタと、前記押
下回数のカウント値とリモコンキーのキーコードとリモコンキーの名称との対応関係を示
すテーブルと、前記一方の本体キーを放した時の前記カウント値に対応したキーコードを
前記テーブルより抽出して該キーコードが示すリモコンキーとして前記一方の本体キーの
機能を確定するキー確定手段と、前記カウント値に対応するリモコンキーの名称を前記テ
ーブルより抽出して表示手段に表示させるキー名称表示手段とを有するシステムコントロ
ーラを備えたことを特徴とする光ディスク装置を提供する。
【０００９】
この構成において、本体操作部の例えばＰＬＡＹキーが押下し続けられ、この状態で例
えばＳＴＯＰキーを複数回押下して行くと、押下回数がカウンタによりカウントされる。
そして、ＰＬＡＹキーが放された時、カウンタのカウント値が０のままであれば、ＰＬＡ
Ｙキーは本来の機能が確定されていることになるが、カウント値が０で無いとき、キー確
定手段は、カウント値に対応するキーコードをテーブルより抽出して、該キーコードが示
すリモコンキーの機能を本体操作部のＰＬＡＹキーに確定する。また、キー名称表示手段
は、カウント値に対応するリモコンキーの名称をテーブルより抽出して表示手段に表示さ
せる。
【００１０】
この構成によれば、ユーザがリモコンを紛失したり、リモコンが故障したりした場合に
、リモコンキーを本体キーで代用させる場合、本体キーを複数回押下して、リモコンキー
の各機能を確定することができ、また、このとき確定されるリモコンキーの名称も表示さ
れるので、本体キーの操作も簡単に行うことができ、しかも、現在備えられている本体キ
ーをそのまま使用できて、コストアップせずに、リモコンの各機能を実現でき、したがっ
て、ユーザにとっては使い勝手が良くなる。
【００１１】
請求項２の発明は、複数のキーを有するリモコンにより操作が可能であると共に、前記
リモコンのキーの個数よりも少ない個数のキーを有する本体操作部を備え、光ディスクに
対して情報の再生、または記録／再生を行う光ディスク装置において、前記本体操作部の
選択した２個の本体キーのうちの一方の本体キーを押し続けた状態で、他方の本体キーを
押下したときの押下回数に応じてリモコンキーを指定し、前記指定されたリモコンキーの
機能を前記一方の本体キーの機能として確定するシステムコントローラを備えたことを特
徴とする光ディスク装置を提供する。
【００１２】
この構成において、本体操作部の選択した２個の本体キーのうちの一方の本体キーを押
し続けた状態で、他方の本体キーを複数回押下すると、押下回数に応じて複数のリモコン
キーのうちの一つのリモコンキーが順次指定され、この指定されたリモコンキーの機能が
前記一方の本体キーの機能として確定される。
【００１３】
この構成によれば、ユーザがリモコンを紛失したり、リモコンが故障したりした場合に
、リモコンキーを本体キーで代用させる場合、本体キーを複数回押下して、リモコンキー
の各機能を確定することができ、また、このとき確定されるリモコンキーの名称も表示さ
れるので、本体キーの操作も簡単に行うことができ、しかも、現在備えられている本体キ
ーをそのまま使用できて、コストアップせずに、リモコンの各機能を実現でき、したがっ
て、ユーザにとっては使い勝手が良くなる。
【００１４】
請求項３の発明では、請求項２の発明において、前記システムコントローラは、前記本
体操作部の選択した２個の本体キーのうちの一方の本体キーを押し続けた状態で、他方の
本体キーを押下したときの押下回数をカウントするカウンタと、前記押下回数のカウント
値に対応したキーコードが示すリモコンキーとして前記一方の本体キーの機能を確定する
キー確定手段と、前記カウント値に対応するリモコンキーの名称を表示手段に表示させる
キー名称表示手段とを有するので、本体操作部の例えばＰＬＡＹキーが押下し続けられ、
この状態で例えばＳＴＯＰキーを複数回押下して行くと、押下回数がカウントでき、そし
て、ＰＬＡＹキーが放された時、カウント値が０のままであれば、ＰＬＡＹキーは本来の
機能が確定されていることになるが、カウント値が０で無いとき、カウント値に対応する
キーコードが示すリモコンキーの機能を本体操作部のＰＬＡＹキーに確定でき、また、カ
ウント値に対応するリモコンキーの名称を表示手段に表示させることができる。
【００１５】
請求項４の発明では、請求項３の発明において、前記システムコントローラは、本体操
作部の選択した２個の本体キーのうちの一方の本体キーを押し続けた状態で、他方の本体
キーを押下したときの押下回数をカウントするカウンタと、前記押下回数のカウント値と
リモコンキーのキーコードとリモコンキーの名称との対応関係を示すテーブルと、前記一
方の本体キーを放した時の前記カウント値に対応したキーコードを前記テーブルより抽出
して該キーコードが示すリモコンキーとして前記一方の本体キーの機能を確定するキー確
定手段と、前記カウント値に対応するリモコンキーの名称を前記テーブルより抽出して表
示手段に表示させるキー名称表示手段とを有するので、本体操作部の例えばＰＬＡＹキー
が押下し続けられ、この状態で例えばＳＴＯＰキーを複数回押下して行くと、押下回数が
カウントされ、そして、ＰＬＡＹキーが放された時、カウント値が０のままであれば、Ｐ
ＬＡＹキーは本来の機能が確定されていることになるが、カウント値が０で無いとき、カ
ウント値に対応するキーコードがテーブルから抽出され、該キーコードが示すリモコンキ
ーの機能を本体操作部のＰＬＡＹキーに確定でき、また、カウント値に対応するリモコン
キーの名称がテーブルから抽出され、該リモコンキーの名称を表示手段に表示させること
ができる。
【発明の効果】
【００１６】
以上のように本発明によれば、複数のキーを有するリモコンにより操作が可能であると
共に、前記リモコンのキーの個数よりも少ない個数のキーを有する本体操作部を備え、光
ディスクに対して情報の再生、または記録／再生を行う光ディスク装置において、前記本
体操作部の選択した２個の本体キーのうちの一方の本体キーを押し続けた状態で、他方の
本体キーを押下したときの押下回数をカウントするカウンタと、前記押下回数のカウント
値とリモコンキーのキーコードとリモコンキーの名称との対応関係を示すテーブルと、前
記一方の本体キーを放した時の前記カウント値に対応したキーコードを前記テーブルより
抽出して該キーコードが示すリモコンキーとして前記一方の本体キーの機能を確定するキ
ー確定手段と、前記カウント値に対応するリモコンキーの名称を前記テーブルより抽出し
て表示手段に表示させるキー名称表示手段とを有するシステムコントローラを備えたので
、ユーザがリモコンを紛失したり、リモコンが故障したりした場合に、リモコンキーを本
体キーで代用させる場合、本体キーを複数回押下して、リモコンキーの各機能を確定する
ことができ、また、このとき確定されるリモコンキーの名称も表示され、これにより、本
体キーの操作も簡単に行うことができ、しかも、現在備えられている本体キーをそのまま
使用できて、コストアップせずに、リモコンの各機能を実現でき、したがって、ユーザに
とっては使い勝手が良くなる。
【００１７】
また、本発明によれば、複数のキーを有するリモコンにより操作が可能であると共に、
前記リモコンのキーの個数よりも少ない個数のキーを有する本体操作部を備え、光ディス
クに対して情報の再生、または記録／再生を行う光ディスク装置において、前記本体操作
部の選択した２個の本体キーのうちの一方の本体キーを押し続けた状態で、他方の本体キ
ーを押下したときの押下回数に応じてリモコンキーを指定し、前記指定されたリモコンキ
ーの機能を前記一方の本体キーの機能として確定するシステムコントローラを備えたので
、ユーザがリモコンを紛失したり、リモコンが故障したりした場合に、リモコンキーを本
体キーで代用させる場合、本体キーを複数回押下して、リモコンキーの各機能を確定する
ことができ、また、このとき確定されるリモコンキーの名称も表示され、これにより、本
体キーの操作も簡単に行うことができ、しかも、現在備えられている本体キーをそのまま
使用できて、コストアップせずに、リモコンの各機能を実現でき、したがって、ユーザに
とっては使い勝手が良くなる。
【発明を実施するための最良の形態】
【００１８】
以下、添付図面を参照しつつ、本発明の実施の形態について説明する。図１は本発明の
一実施形態に係る光ディスク装置の構成を示すブロック図である。この実施形態では、光
ディスク（ＤＶＤ）に記録された情報を再生するＤＶＤプレーヤなどの光ディスク装置に
ついて説明するが、光ディスク（ＤＶＤ）に対して情報の記録／再生を行うＤＶＤレコー
ダなどの光ディスク装置についても、同様にリモコンキーの機能を本体キーで代用させる
ことができる。
【００１９】
この光ディスク装置は、光ディスク（ＤＶＤ）１を回転させるスピンドルモータ５と、
光ディスク１に記録された情報を再生するためのレーザ光を出射すると共に光ディスク１
からの反射光を受光する光ピックアップ２と、この光ピックアップ２を光ディスク１の半
径方向に移動させるためのスレッド３と、システムコントローラ２２の指示に応じてスピ
ンドルモータ５およびスレッド３を駆動すると共に光ピックアップ２に内蔵された対物レ
ンズ（図示せず）を動かすことによりレーザ光の焦点位置を光ディスク１の記録面に対し
て垂直方向および水平方向に移動させる制御を行うサーボ制御部４とを備えている。
【００２０】
また、この光ディスク装置は、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理と誤り訂正処理を行って生成したデータをＲＡＭ７に格納するデジタル信号処理部８と
、システムコントローラ２２の指示に応じてデジタル信号処理部８から出力されたデータ
ストリームの中からオーディオデータとサブピクチャデータとビデオデータとを分離する
ストリーム分離部９とを備えている。
【００２１】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２２】
また、この光ディスク装置は、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２３】
また、この光ディスク装置は、システムコントローラ２２に対して、各種指示を与える
ための各種操作キーを有する本体操作部２１と、装置全体を制御する前記システムコント
ローラ２２とを備えている。本体操作部２１は、リモコン（リモートコントローラ）２６
からの操作指令を示す光信号を受信する受光手段（図示せず）を備え、この受光手段によ
り光信号を電気信号に変換してシステムコントローラ２２に指令信号を入力する。リモコ
ン２６は本体操作部２１と同様な各種操作キーを有する他、更に複数のキーを有する。本
体操作部２１のキー（本体キー）の配置については図２で説明する。また、リモコン２６
のキー（リモコンキー）の配置については図３で説明する。
【００２４】
また、この光ディスク装置は、装置の各構成要素を制御したり、装置全体を制御したり
するためのプログラムやデータなどを記憶するフラッシュＲＯＭ２３と、このフラッシュ
ＲＯＭ２３のプログラムやデータに従って演算処理を行いシステムコントローラ２２を制
御するＣＰＵ２４と、操作部２１またはリモコン２６からの操作内容などを表示したりす
る本体側の表示手段である表示部２５とを備えている。
【００２５】
システムコントローラ２２は、本実施形態の特徴とする構成要素として、本体操作部２
１の選択した２個の本体キーのうちの一方の本体キーを押し続けた状態で、他方の本体キ
ーを押下したときの押下回数をカウントするカウンタ２２１と、押下回数のカウント値と
リモコンキーのキーコードとリモコンキーの名称との対応関係を示すテーブル２２２と、
本体操作部２１の選択した本体キーを押下してから放した時の前記カウント値に対応した
キーコードをテーブル２２２より抽出して該キーコードが示すリモコンキーとして前記一
方の本体キーの機能を確定するキー確定手段２２３と、前記カウント値に対応するリモコ
ンキーの名称をテーブル２２２より抽出して表示手段としてのディスプレイ装置２０また
は表示部２５に表示させるキー名称表示手段２２４とを有する。
【００２６】
図２は本実施形態の光ディスク装置に備えられる本体操作部に設けられている本体キー
の配置図である。図２において、Ｐは装置本体の前面に設けられている本体操作部２１の
前面を示し、この前面Ｐには、光ディスクが載置されるディスクトレイＴが配置されてい
ると共に、ディスクトレイＴを開閉する操作を行うためのＯＰＥＮ／ＣＬＯＳＥキーと、
装填された光ディスクを再生させる操作を行うためのＰＬＡＹキーと、再生を停止させる
操作を行うためのＳＴＯＰキーと、装置の電源をオンしたりオフしたりする操作を行うた
めのＰＯＷＥＲキーとが配置さられている。
【００２７】
図３は本実施形態の光ディスク装置を赤外線信号により遠隔操作するリモコンのキーの
配置図である。図３において、Ｒはリモコン２６の上面を示し、この上面Ｒには、装置の
電源をオン／オフさせる操作を行うためのＰＯＷＥＲキー、画面表示させる操作を行うた
めのＤＩＳＰＬＡＹキー、タイトルやチャプタをサーチする操作を行うためのＳＥＡＲＣ
Ｈキー、ディスクトレイＴを開閉させる操作を行うためのＯＰＥＮ／ＣＬＯＳＥキー、音
声を切り換える操作を行うためのＡＵＤＩＯキー、サーチなどをするときに数字を入力す
る操作を行うための１，２，３，４，５，６，７，８，９，０，＋１０キー、字幕を切り
換える操作を行うためのＳＵＢＴＩＴＬＥキー、アングルを切り換える操作を行うための
ＡＮＧＬＥキー、およびタイトルやチャプタをリピートする操作を行うためのＲＰＥＡＴ
キーが配置されている。
【００２８】
また、リモコン２６の上面Ｒには、入力した数値を取り消す操作を行うためのＣＬＥＡ
Ｒキー、Ａ−Ｂ間をリピートさせる操作を行うためのＡ−Ｂキー、一時停止させる操作を
行うためのＰＡＵＳＥキー、スキップダウンさせる操作を行うためのＳＫＩＰ−ＤＯＷＮ
キー、スキップアップさせる操作を行うためのＳＫＩＰ−ＵＰキー、早戻しの操作を行う
ためのＲＥＶキー、再生を開始させる操作を行うためのＰＬＡＹキー、再生などを停止さ
せる操作を行うためのＳＴＯＰキー、早送りの操作を行うためのＦＷＤキー、初期設定の
操作を行うためのＳＥＴＵＰキー、およびトップメニューに設定する操作を行うためのＴ
ＯＰＭＥＮＵキーが配置されている。
【００２９】
また、リモコン２６の上面Ｒには、上方向のカーソルキー、普通のメニューに設定する
操作を行うためのＭＥＮＵキー、画質調整画面など調整に関する画面を呼び出したりする
操作を行うためのＭＯＤＥキー、左方向のカーソルキー、入力内容を決定する操作を行う
ためのＥＮＴＥＲキー、右方向のカーソルキー、バーチャルサラウンドシステムを実現さ
せる操作を行うためのＶ.Ｓ.Ｓキー、２倍や４倍などに画像を拡大させる操作を行うため
のＺＯＯＭキー、下方向のカーソルキー、および一つ前の画面に戻す操作を行うためのＲ
ＥＴＵＲＮキーが配置されている。
【００３０】
図４は本実施形態においてカウント値とキーコードとキー名称との対応関係を示すテー
ブルの内容を示す図である。図４において、カウント値は、図２中のＰＬＡＹキーとＳＴ
ＯＰキーを用い、ＰＬＡＹキーを押し続けた状態で、ＳＴＯＰキーを複数回押下し、ＰＬ
ＡＹキーを放すまでのＳＴＯＰキーの押下回数をカウントした値である。次のキーコード
は図３に示すリモコンキーにそれぞれ割り当てられたコードを示す。キー名称はリモコン
キーを示し、カウント値に対応するリモコンキーの名称を示す。例えば、カウント値が「
３」であれば、キーコードは「０３」で、図３において、３番目のＳＥＡＲＣＨキーを示
す。したがって、図２中のＰＬＡＹキーを３秒間押し続けると、このＰＬＡＹキーはリモ
コン２６側のＳＥＡＲＣＨキーとしての機能を有することになる。
【００３１】
図５は本実施形態においてリモコンキーの機能を本体キーに持たせる場合の処理につい
て説明するためのフローチャートである。このフローチャートを参照してリモコンキーの
機能を本体キーに持たせる場合の処理について説明する。
【００３２】
ここでは、リモコン２６が紛失または故障したとし、本体操作部２１のキーのみにより
光ディスク装置が操作可能であることにする。先ず、本体操作部２１のＰＯＷＥＲキーが
押下されることにより、光ディスク装置が電源オンされる（ステップＳ１）。システムコ
ントローラ２２のカウンタ２２１のカウント値ｎはｎ＝０にする（ステップＳ２）。この
カウント値は、本体操作部２１のＳＴＯＰキーの押下回数を示すものとする。ここで、本
体操作部２１の例えばＰＬＡＹキーを押下し続け（ステップＳ３）、ＰＬＡＹキーが放さ
れた時（ステップＳ４）、カウンタ２２１のカウント値ｎがｎ＝０のままであれば、ＰＬ
ＡＹキーは本来の機能が確定されていることになる（ステップＳ８，Ｓ１０）。即ち、ｎ
＝０であるのは、本体操作部２１のＳＴＯＰキーの押下回数が０回であるので、リモコン
キーの機能は確定されず、本体操作部２１のＰＬＡＹキーの機能は変更されない。
【００３３】
ステップＳ８において、カウント値ｎがｎ＝０で無いと判定されたとき、システムコン
トローラ２２のキー確定手段２２３は、カウント値ｎに対応するキーコードを図４に示す
テーブル２２２より抽出して、該キーコードが示すリモコンキーの機能を本体操作部２１
のＰＬＡＹキーに確定する（ステップＳ９）。カウント値ｎが「３」であれば、キーコー
ドは「０３」で、図３において、３番目のＳＥＡＲＣＨキーを示し、本体操作部２１のＰ
ＬＡＹキーは、リモコン２６側のＳＥＡＲＣＨキーとしての機能を有することになる。
【００３４】
本体操作部２１のＰＬＡＹキーが押下し続けられ、この状態で、本体操作部２１のＳＴ
ＯＰキーを押下していくと（ステップＳ５）、押下回数に応じてカウンタ２２１のカウン
ト値ｎがインクリメント（ｎ＝ｎ＋１）される（ステップＳ６）。そして、システムコン
トローラ２２のキー名称表示手段２２４は、カウント値ｎに対応するリモコンキーの名称
をテーブル２２２より抽出してディスプレイ装置２０または表示部２５に表示させる（ス
テップＳ７）。例えば、カウント値ｎが１，２，３，４，５，・・・とインクリメントさ
れるに従ってディスプレイ装置２０または表示部２５には、「ＰＯＷＥＲキー」、「ＤＩ
ＳＰＬＡＹキー」、「ＳＥＡＲＣＨキー」、「ＯＰＥＮ／ＣＬＯＳＥキー」、「ＡＵＤＩ
Ｏキー」、・・・というキー名称が表示される。したがって、ユーザは、表示されたキー
名称を見ることによって、本体操作部２１のＰＬＡＹキーを用いて操作したいリモコンキ
ーの機能を確実に設定することができる。
【００３５】
なお、ここでの説明では、本体操作部２１のＰＬＡＹキーを押し下げた状態でＳＴＯＰ
キーを複数回押下して、リモコンキーの機能を本体操作部２１のＰＬＡＹキーに確定した
が、これに限らず、本体操作部２１のＳＴＯＰキーを押し下げた状態でＰＬＡＹキーを複
数回押下して、リモコンキーの機能を本体操作部２１のＳＴＯＰキーに確定しても良い。
【００３６】
以上説明したように本実施形態によれば、ユーザがリモコンを紛失したり、リモコンが
故障したりした場合に、リモコンキーを本体キーで代用させる場合、本体キーを複数回押
下して、リモコンキーの各機能を確定することができ、また、このとき確定されるリモコ
ンキーの名称も表示され、これにより、本体キーの操作も簡単に行うことができ、しかも
、現在備えられている本体キーをそのまま使用できて、コストアップせずに、リモコンの
各機能を実現でき、したがって、ユーザにとっては使い勝手が良くなる。
【図面の簡単な説明】
【００３７】
【図１】本発明の一実施形態に係る光ディスク装置の構成を示すブロック図である。
【図２】前記実施形態の光ディスク装置に備えられる本体操作部に設けられている本体キーの配置図である。
【図３】前記実施形態の光ディスク装置を赤外線信号により遠隔操作するリモコンのキーの配置図である。
【図４】前記実施形態においてカウント値とキーコードとキー名称との対応関係を示すテーブルの内容を示す図である。
【図５】前記実施形態においてリモコンキーの機能を本体キーに持たせる場合の処理について説明するためのフローチャートである。
【符号の説明】
【００３８】
１    光ディスク
２０    ディスプレイ装置（表示手段）
２１    本体操作部
２２    システムコントローラ
２５    表示部（表示手段）
２６    リモコン
２２１    カウンタ
２２２    テーブル
２２３    キー確定手段
２２４    キー名称表示手段
【図１】
2006179097.tif 000003
【図２】
2006179097.tif 000004
【図３】
2006179097.tif 000005
【図４】
2006179097.tif 000006
【図５】
2006179097.tif 000007